(57)【要約】【課題】粒状，粉末状の収納物を振出孔より振り出すための容器であって、振出孔を塞ぐ棒栓との密閉性が良く、振出孔の目詰まりのない振出容器を提案する。【解決手段】錐壁状の頂板９の周面部に振出孔１３を穿設し、この頂板９上に上下動可能に嵌合させた錐壁状のカバー４の裏面に垂設した棒栓１８により振出孔１３を閉塞させる如く構成した。そして、カバー４を上昇させることにより振出孔１３が開口する如く構成し、棒栓１８は常時上下動して振出孔１３を開閉するため、両者の間に隙間が生じないように構成した。【選択図】図１
2004115102.tif 000002
【特許請求の範囲】
【請求項１】
錐壁状をなすとともに、中央上端部に上端を開口した有底の支持筒部を垂設し、且つ、周面部に振出孔１３を穿設した頂板９と、該頂板９上に嵌合させた錐壁状をなすとともに、裏面より垂設した支柱１４を上記支持筒部１０に上下動可能に嵌合させ、且つ、裏面より垂設した棒栓１８を上記振出孔１３に密嵌させたカバー４とを備え、該カバー４を上昇させて振出孔１３が開口する如く構成してなることを特徴とする振出容器。
【請求項２】
上記支柱１４を上方付勢状態で且つ抜け出しを防止して嵌合させるとともに、上方付勢力に抗して下降させた状態のカバー４を頂板９に離脱可能に係止させる係止手段１９を設けてなる請求項１記載の振出容器。
【請求項３】
上記係止手段１９が、カバー４の下端部に突設した係合突起２１と、該係合突起対応位置の頂板９に揺動可能に突設するとともに、上記係合突起２１と係合する係止突起２２を裏面に突設した押釦２３とからなる係止手段である請求項２記載の振出容器。
【請求項４】
胴部５より口頸部７を起立した容器体２と、上記口頸部７外周に嵌合させた嵌合筒８を錐壁状の頂板９より垂設するとともに、頂板９上端中央部に上端を開口した有底の支持筒部１０を垂設し、且つ、頂板９周面部に振出孔１３を穿設してなる蓋部材３と、頂板９上面に嵌合させた錐壁状をなすとともに、裏面より垂設した支柱１４を上記支持筒部１０に上下動可能に嵌合し、且つ、裏面より垂設した棒栓１８を上記振出孔１３に密嵌させたカバー４と、上記支柱１４下部に介在させてカバー４を常時上方に付勢する弾性部材とを備え、上記カバー４の下端部に係合突起２１を突設するとともに、該係合突起２１と係合する係止突起２２を下面に突設した押釦２３を揺動可能に頂板９に突設してなることを特徴とする振出容器。
【発明の詳細な説明】
【０００１】
【発明の属する技術分野】
本発明は振出容器に関する。
【０００２】
【従来の技術】
振出容器として、例えば、容器体の口頸部上端開口を被覆して嵌着させるとともに、頂板部に振出孔を穿設してなるキャップ本体と、振出孔を閉塞して開閉可能に設けた蓋板と、蓋板と連係して押し下げ可能に支持した押釦とを備え、押釦の押し下げにより開蓋する如く構成したものが知られている（例えば、特許文献１参照）。
【０００３】
或いは、口頸部を起立した容器体と、口頸部外周に嵌合させた周壁上端縁より頂壁を延設するととも、頂壁後部に蓋板押し下げ用の凹部を形成し、且つ頂壁前部に振出孔を穿設してなるキャップ本体と、該本体上に上下揺動可能に装着させて振出孔を開閉可能に被覆する蓋板とを備え、上記凹部に一端を固定するとともに、他端の自由端を凹部内に突出させた非金属製の弾性板を設け、蓋板後部下面より突設して弾性板を弾性変形させる押圧部を設けたものが知られている（例えば、特許文献２参照）。
【０００４】
【特許文献１】
特開平１１−７０９５１号公報（第２−３頁，図１）
【特許文献２】
特開平１１−７０９５２号公報（第２−３頁，図１）
【０００５】
【発明が解決しようとする課題】
上記した如く従来の容器は、水平な頂板に振出孔を穿設し、その振出孔を回動する蓋板の裏面に垂設した棒栓により閉塞する如く構成している。従って、振出孔は回動してくる棒栓を嵌合させるため、棒栓が回動しきって垂直状態になった際にはその径よりも大きいものでないと円滑な開閉操作を行えず、その結果、その部分の密閉性に若干劣る結果となる。また、棒栓と振出孔との間に隙間が生じるため、その部分に収納物が浸入して固まり振出孔が詰まるという不都合を生じる虞もある。
【０００６】
本発明は上記した点に鑑みてなされたもので、振出孔と棒栓との密閉性に優れ、振出孔が収納物で目詰まりする等のおそれがない振出容器を提案するものである。
【０００７】
【課題を解決するための手段】
本請求項１発明の振出容器は、上記課題を解決するため、錐壁状をなすとともに、中央上端部に上端を開口した有底の支持筒部を垂設し、且つ、周面部に振出孔１３を穿設した頂板９と、該頂板９上に嵌合させた錐壁状をなすとともに、裏面より垂設した支柱１４を上記支持筒部１０に上下動可能に嵌合させ、且つ、裏面より垂設した棒栓１８を上記振出孔１３に密嵌させたカバー４とを備え、該カバー４を上昇させて振出孔１３が開口する如く構成してなることを特徴とする振出容器として構成した。
【０００８】
また、請求項２発明の振出容器は、上記支柱１４を上方付勢状態で且つ抜け出しを防止して嵌合させるとともに、上方付勢力に抗して下降させた状態のカバー４を頂板９に離脱可能に係止させる係止手段１９を設けてなる請求項１記載の振出容器として構成した。
【０００９】
また、請求項３発明の振出容器は、上記係止手段１９が、カバー４の下端部に突設した係合突起２１と、該係合突起対応位置の頂板９に揺動可能に突設するとともに、上記係合突起２１と係合する係止突起２２を裏面に突設した押釦２３とからなる係止手段である請求項２記載の振出容器として構成した。
【００１０】
また、請求項４発明の振出容器は、胴部５より口頸部７を起立した容器体２と、上記口頸部７外周に嵌合させた嵌合筒８を錐壁状の頂板９より垂設するとともに、頂板９上端中央部に上端を開口した有底の支持筒部１０を垂設し、且つ、頂板９周面部に振出孔１３を穿設してなる蓋部材３と、頂板９上面に嵌合させた錐壁状をなすとともに、裏面より垂設した支柱１４を上記支持筒部１０に上下動可能に嵌合し、且つ、裏面より垂設した棒栓１８を上記振出孔１３に密嵌させたカバー４と、上記支柱１４下部に介在させてカバー４を常時上方に付勢する弾性部材とを備え、上記カバー４の下端部に係合突起２１を突設するとともに、該係合突起２１と係合する係止突起２２を下面に突設した押釦２３を揺動可能に頂板９に突設してなることを特徴とする振出容器として構成した。
【００１１】
【発明の実施の形態】
以下、本発明の実施の形態を図面を参照して説明する。
【００１２】
図１は本発明の一実施例を示すもので、図中１は振出容器を示す。該容器１は、容器体２と、蓋部材３と、カバー４とを備えている。
【００１３】
容器体２は合成樹脂等により形成することができ、内部に粉末，顆粒，錠剤等の振り出し用の収納物を収納させるもので、胴部５より肩部６を介して口頸部７を起立して構成している。
【００１４】
蓋部材３は同様に合成樹脂等により形成されたもので、口頸部７外周に嵌合させた嵌合筒８を錐壁状をなす頂板９より垂設するとともに、頂板９の中央上端部に上端を開口した有底の支持筒部１０を垂設している。本発明の振出容器１はこの様な頂板９を備えており、この頂板９は本実施例の如く容器体２と別体に構成した蓋部材３に設けたものに限らず、容器の構成として上記構成を備えていればその他種々の具体的構成を採用できる。例えば、上記周壁上端縁より上記した頂板を延設した本体と、底蓋とから構成したものなど。
【００１５】
上記錐壁状をなす頂板９とは、円錐，多角錐等の錐体の中空体の底壁を除いた形態のもの、或いはドーム状のもの等、上方にいくに従って径が小さくなる如く周壁部分を備えたもので、種々の形状が採用できる。尚、この錐壁状は図示例の如く、段部ａを形成したものであっても良く、上記要件を備えていれば良い。
【００１６】
また、支持筒部１０はその内周上端部にカバー４の抜け出し防止を図るための係止突条１１を突周設しており、また、その中央に棒状突起１２を立設している。また、頂板９の周面部には振出孔１３を穿設している。この振出孔１３は収納物の種類等により１乃至２以上穿設することができ、その大きさも適宜選択すると良い。
【００１７】
カバー４も同様に合成樹脂等により形成されたもので、上記頂板９上に嵌合させた錐壁状をなすとともに、裏面より垂設した支柱１４を上記支持筒部１０に上下動可能に嵌合させている。図示例では、支柱１４を上記棒状突起１２外周に摺動可能に嵌合させた筒状の支柱１４として構成しており、その外周下端部には上記係止突条１１と係合して上方への抜け出しを防止する係合突条１５を突周設している。また、その内周面には嵌合溝１６を縦設しており、上記棒状突起１２に突設した突部１７を摺動可能に構成して支柱１４の回り止め機構を構成している。更に、裏面より垂設した棒栓１８を上記振出孔１３に密嵌させている。棒栓１８は上記振出孔１３の数，大きさにあわせて形成した垂直棒状のもので、振出孔１３と密に嵌合する径を備えたものが採用される。
【００１８】
上記の如く構成した振出容器１は、例えば図１に示す状態から、カバー４を掴んで上方に引き上げれば、棒栓１８が振出孔１３より外れて振出孔１３が開口する。使用後は、再びカバー４を押し下げて棒栓１８を振出孔１３に嵌合させる。
【００１９】
図４は本発明の他の実施例を示すもので、図１の実施例に於いて、上記支柱１４を支持筒部１０内に上方付勢状態で且つ抜け出しを防止して嵌合させるとともに、上方付勢力に抗して下降させた状態のカバー４を離脱可能に頂板９に係止させる係止手段１９を設けている。
【００２０】
本実施例では支柱１４の下方に弾性部材としてのコイルスプリング２０を介在させており、また、係止手段１９として、カバー４の下端部に突設した係合突起２１と、該係合突起２１対応位置の頂板９に揺動可能に突設するとともに、上記係合突起２１と係合する係止突起２２を裏面に突設した押釦２３とから構成している。
【００２１】
本実施例の場合には図４の状態から押釦２３を押し込むと係止突起２２が開く方向に回動して係合突起２１の係止を解除すると、コイルスプリング２０の作用で支柱１４が押し上げられ、それに伴いカバー４が上昇して振出孔１３が開口する。コイルスプリング２０に押し上げられた支柱１４はその外周の係合突条１５が支持筒部１０内周上端の係止突条１１と係合しそれ以上の抜け出しを防止する。使用後は再びカバー４を押し下げると自動的に係合突起２１が係止突起２２と係合して元の状態に戻る。
【００２２】
【発明の効果】
以上説明した如く本発明の振出容器は、既述構成としたことにより、振出孔１３と棒栓１８との密閉性に優れ、また、振出孔１３に収納物が詰まる等の不都合も解消できるものである。
【００２３】
上記支柱１４を上方付勢状態で且つ抜け出しを防止して嵌合させるとともに、上方付勢力に抗して下降させた状態のカバー４を頂板９に離脱可能に係止させる係止手段１９を設けてなるものにあっては、係止手段１９を解除するという簡単に操作により自動的に振出孔１３が開口するという取り扱い上の便利を伴う。
【００２４】
また、カバー４の下端部に突設した係合突起２１と、該係合突起対応位置の頂板９に揺動可能に突設するとともに、上記係合突起２１と係合する係止突起２２を裏面に突設した押釦２３とからなる係止手段であるものにあっては、一端開放した振出孔１３を再び閉じる際に、カバー４を押し下げるという簡単な操作で行える利点を兼ね備える。
【００２５】
また、胴部５より口頸部７を起立した容器体２と、上記口頸部７外周に嵌合させた嵌合筒８を錐壁状の頂板９より垂設するとともに、頂板９上端中央部に上端を開口した有底の支持筒部１０を垂設し、且つ、頂板９周面部に振出孔１３を穿設してなる蓋部材３と、頂板９上面に嵌合させた錐壁状をなすとともに、裏面より垂設した支柱１４を上記支持筒部１０に上下動可能に嵌合し、且つ、裏面より垂設した棒栓１８を上記振出孔１３に密嵌させたカバー４と、上記支柱１４下部に介在させてカバー４を常時上方に付勢する弾性部材とを備え、上記カバー４の下端部に係合突起２１を突設するとともに、該係合突起２１と係合する係止突起２２を下面に突設した押釦２３を揺動可能に頂板９に突設してなるものにあっては、同様に振出孔１３と棒栓１８との密閉性に優れ、振出孔１３に収納物が詰まる等の不都合も解消できるものであり、また、それぞれの部分の組み付け操作が簡単で、容易に製造できる利点を兼ね備えている。
【図面の簡単な説明】
【図１】本発明の一実施例を示す半断面図である。
【図２】同実施例の振出孔を開口した状態の斜視図である。
【図３】同実施例のＡ−Ａ線に沿う横断面図である。
【図４】本発明の他の実施例を示す半断面図である。
【図５】同実施例の係止手段部分の要部拡大断面図である。
【符号の説明】
２…容器体，３…蓋部材，４…カバー，５…胴部，７…口頸部，
８…嵌合筒，９…頂板，１０…支持筒部，１３…振出孔，１４…支柱，
１８…棒栓，２１…係合突起，２２…係止手段，２３…押釦
【図１】
2004115102.tif 000003
【図２】
2004115102.tif 000004
【図３】
2004115102.tif 000005
【図４】
2004115102.tif 000006
【図５】
2004115102.tif 000007